(57)【特許請求の範囲】
【請求項１】
左右方向に所定間隔おきに立設されたパネル支柱間の前後に、パネルが装着された間仕切りに取付けられる引戸装置であって、複数立設した前記パネル支柱のうちの、互いに隣接する左右いずれか一方のパネル支柱に戸当り支柱を、かつ他方のパネル支柱に換えて、前記前後のパネルとほぼ同等に離間して対向する前後１組の中間支柱を設けるとともに、これら戸当り支柱と中間支柱との間を開放して出入口とし、この出入口を閉塞可能な引戸を、前記戸当り支柱と当接する閉位置と、前記前後の中間支柱の間を通過して、前後のパネル間に形成された戸袋内に立設した引戸の開限度を規制する戸袋支柱に当接する開位置との間を、左右方向に移動可能とし、前記戸袋を形成する前後パネルの下端部の一部を、戸袋支柱と該戸袋支柱に隣接するパネル支柱間に設けたパネル支持部材に支持させ、前後パネルにおける中間支柱側の側端部を、該中間支柱に当接させて保持するようにしたことを特徴とする引戸装置。
【請求項２】
戸当り支柱と、戸袋支柱との上部間に、引戸を左右方向に移動自在に吊支するガイドレールを架設するとともに、このガイドレールの中間部の前後面を、中間支柱に固定した請求項１に記載の引戸装置。
【請求項３】
引戸の下端面に長手方向を向く凹構を形成し、この凹構に、中間支柱間の床面に設けたガイドローラを遊嵌した請求項１または２に記載の引戸装置。
【発明の詳細な説明】
【０００１】
【発明の属する技術分野】
本発明は、例えばオフィスや病院、福祉施設等で使用される引戸装置に係り、特に、通常の間仕切りパネルを戸袋パネルとして使用し得るようにした引戸装置に関する。
【０００２】
【従来の技術】
従来の引戸装置としては、例えば実開平６−８２３７０号公報や特許第２８１１６３４号公報に開示されているものがある。
【０００３】
これら従来の引戸装置は、引戸本体や戸袋、欄間パネル等の構成部品が枠体内にモジュール化されて取付けられている。
【０００４】
【発明が解決しようとする課題】
上述のようなモジュール化された引戸装置では、これを左右方向に連続する間仕切りの一部に組込むと、幅木や戸袋パネル等の厚さが通常のものと異なるため、デザインの連続性が途切れてしまい、意匠的な効果や見栄えが低下する。
【０００５】
また、モジュール化された引戸装置は、それ専用の部品を要するため、コスト高となる。
【０００６】
本発明は、上記問題点を解決するためになされたもので、通常の間仕切りのパネルに組付け可能として見栄えを向上させるとともに、部品の共通化が図れてコストを削減し得るようにした引戸装置を提供することを目的としている。
【０００７】
【課題を解決するための手段】
上記目的を達成するために、本発明の引戸装置は、左右方向に所定間隔おきに立設されたパネル支柱間の前後に、パネルが装着された間仕切りに取付けられる引戸装置であって、複数立設した前記パネル支柱のうちの、互いに隣接する左右いずれか一方のパネル支柱に戸当り支柱を、かつ他方のパネル支柱に換えて、前記前後のパネルとほぼ同等に離間して対向する前後１組の中間支柱を設けるとともに、これら戸当り支柱と中間支柱との間を開放して出入口とし、この出入口を閉塞可能な引戸を、前記戸当り支柱と当接する閉位置と、前記前後の中間支柱の間を通過して、前後のパネル間に形成された戸袋内に立設した引戸の開限度を規制する戸袋支柱に当接する開位置との間を、左右方向に移動可能とし、前記戸袋を形成する前後パネルの下端部の一部を、戸袋支柱と該戸袋支柱に隣接するパネル支柱間に設けたパネル支持部材に支持させ、前後パネルにおける中間支柱側の側端部を、該中間支柱に当接させて保持するようにしたことを特徴としている。上記構成の本発明によると、通常の間仕切りのパネルを引戸の戸袋として使用し得るため、デザインの連続性が保たれる。また、引戸装置全体をモジュール化して組付ける必要はなく、通常の間仕切りと部品の一部を共通化できるので、モジュール化のための専用の部品を製作する必要がない。また戸袋としての前後のパネルを強固に保持することができると共に、引戸とパネル支持部材とが干渉するのが防止される。
【００１０】
上記引戸装置において、戸当り支柱と、戸袋支柱との上部間に、引戸を左右方向に移動自在に吊支するガイドレールを架設するとともに、このガイドレールの中間部の前後面を、中間支柱に固定するのが好ましい。
このようにすると、中間支柱及びガイドレールが互いに強固に固定されるため、外力によってぐら付いたりすることはない。
【００１１】
上記引戸装置において、引戸の下端面に長手方向を向く凹構を形成し、この凹構に、中間支柱間の床面に設けたガイドローラを遊嵌するのが好ましい。
このようにすると、引戸は前後方向に振れたりすることなく安定的に、かつ円滑に開閉されるので、中間支柱等に接触したりすることはない。
【００１２】
【発明の実施の形態】
以下、本発明の実施形態を図面に基づいて説明する。
【００１３】
図１は、本発明の引戸装置を備える間仕切りの正面図、図２は、図１のII−II線の拡大横断平面図、図３は、同じく図１のIII−III線の拡大縦断側面図を示す。
【００１４】
各図において、１は角筒状のパネル支柱、２は戸当り支柱、３は前後１組の角筒状の中間支柱、４はパネル支柱１の左方に近接して立設された戸袋支柱で、戸当り支柱２側のパネル支柱１は、その右端部が戸当り支柱２の左面の凹部に固着されている。
【００１５】
各パネル支柱１の前後の面には、縦長長方形をなす間仕切りパネル５の側端部の折曲片５ａの前後面が、折曲片５ａに穿設された複数の係合孔２８（図７参照）を、支柱に固定した上向き鉤状の取付金具６に係止することにより取付けられている。
【００１６】
各間仕切りパネル５の上端部は、笠木７内に挿入することにより保持され、また下端は、後述するパネル受け部材２６、２７により支持されている。なお、中間支柱３の右方の間仕切りパネル５は、後記する引戸９の戸袋パネルを兼ねており、その取付形態については後述する。
【００１７】
戸当り支柱２と中間支柱３との間は、ほぼ間仕切りパネル５の１枚分に相当する大きさの出入口８が開口され、この出入口８は、引戸９により開閉されるようになっている。
【００１８】
戸当り支柱２と戸袋支柱４の上端部間には、図３に示すようなレール支持部材１０の左右両端部が固着され、その水平をなす下片１０ａ上には、Ｌ字形のガイドレール１１が、左方が若干下傾するようにして固着されている。
【００１９】
ガイドレール１１には、左右１対の溝付き吊支ローラ１２が、左右方向に転動可能として上方より嵌合され、このローラ１２が枢着されている吊支ブラケット１３の下端は、上記引戸９の上端の左右の端部に固着されている。これにより引戸９は、ガイドレール１１に吊支された状態で、前後の中間支柱３間を、左端が戸当り支柱２と当接する閉位置から、中間支柱３の右方の間仕切りパネル５内に進入して、右端が戸袋支柱４と当接する開位置までの間を、左右方向に移動することができ、かつ開位置から閉位置へは、ガイドレール１１の傾斜作用により自動的に移動して自閉されるようになっている。
【００２０】
前後の中間支柱３の下端と近接する上向きコ字形の幅木１４内には、図４に示すように、上端に垂直軸回りに回転可能なガイドローラ１５を有する案内部材１６が固着され、このガイドローラ１５には、引戸９の下端に固着した下向きコ字形のガイド片１７が遊嵌されている。これにより引戸９は、前後方向に振れたり、中間支柱３と干渉したりすることなく、安定的に左右に移動することができる。
【００２１】
１８は、引戸９の上方に取付けられた前後１対の欄間パネルで、図３に示すように、上端部が笠木７内に保持された状態で、左右両端部が戸当り支柱２と中間支柱３とに、図示しないフックと係合孔との係合をもって取付けられている。
【００２２】
前後の各中間支柱３の上端部適所は、図３に示すように、レール支持部材１０の上片１０ｂ上に固着された支柱固定部材１９に、両支柱３に固着した取付片２０を介してねじ止めされている。
【００２３】
図５及び図６に示すように、各パネル支柱１と戸袋支柱４の下方の幅木１４内には、下向きコ字状の端末金具２１が固着され、その上方に下端が固着されたアジャスタボルト２２には、左右両面が開口された箱状の高さ調整金具２３が螺合され、ロックナット２４により固定されている。各パネル支柱１及び戸袋支柱４の下端部は、高さ調整金具２３に嵌合して支持されている。
【００２４】
上記各高さ調整金具２３の下端に左右方向を向いて連設された支持片２５（左方の調整金具には右方のみに、右方の調整金具には左右両側に連設してある）における互いに対向するもの同士には、下向きコ字状の短寸のパネル支持部材２６と長寸のパネル支持部材２７がねじ止めされている。なお、上記左方の高さ調整金具２３は、引戸９の格納の妨げとならないように、パネル５内の奥部側に設けられている。
【００２５】
上記短寸のパネル支持部材２６における下端の前後方向を向く外向片２６ａ上には、戸袋パネルを兼ねた、引戸９に隣接する前後の間仕切りパネル５における右端部下端の内向折曲面が支持されている。
【００２６】
同じく、長寸のパネル支持部材２７の外向片２７ａ上には、支柱１間の各間仕切りパネル５の下端面のほぼ全面が支持されている。
【００２７】
戸袋パネルを兼ねる引戸９側の前後の間仕切りパネル５は、その左端面を、図２及び図７（一方のみを示す）に示すように、中間支柱３の右側面に寄りかけるように当接させることにより、左方への倒れを防止して保持され、かつ
パネル５の左端の右方を向く折曲片５ａに穿設した複数の縦長の係合孔２８を、中間支柱３に固着された複数の係止金具２９の上向き鉤状のフック２９ａに係止させることにより、前後方向に倒れるのが防止されている。
【００２８】
以上説明したように、上記実施形態においては、通常の間仕切りパネル５を引戸９の戸袋パネルとして使用し得るようにしているため、引戸９を取付けたことによる間仕切りのデザインの連続性が途切れることはなく、見栄えが向上する。
【００２９】
また、従来のように引戸装置をモジュール化する必要がないので、パネル５や幅木１４を共用化でき、モジュール化に必要な部品を削減し得る。
【００３０】
本発明は、上記実施形態に限定されるものではなく、種々の形態をとり得る。
【００３１】
上記実施形態では、引戸９のガイドレール１１をレール支持部材１０に取付けているが、その形状を若干変更して、戸当り支柱２、中間支柱３及び戸袋支柱４に直接固定するようにしてもよい。また、引戸９は、上方に設けられたガイドレール１１上を転動可能なローラ１２を介して左右方向に移動自在に吊支されていたが、引戸９の左右方向への移動の案内方法は任意であり、例えば引戸９を床面上に固設されたガイドレールにより案内するようにしてもよい。
【００３２】
本発明は、笠木７のないローパーティションにも適用し得るのは勿論であり、また、幅木１４を省略し、その分、上下長の長い間仕切りパネル５を用いることもある。
【００３３】
【発明の効果】
本発明によれば、次のような効果を奏することができる。
【００３４】
（ａ）請求項１に記載の発明によれば、通常の間仕切りパネルを引戸の戸袋として使用し得るため、デザインの連続性が保たれ、意匠的効果や見栄えが向上する。また、従来のように、引戸装置をモジュール化して組付ける必要がないので、一部の部分の共通化が図れ、コスト低減が可能となる。また戸袋としての前後のパネルを強固に保持することができると共に、引戸とパネル支持部材とが干渉するのが防止される。
【００３７】
（ｂ）請求項２に記載の発明によれば、中間支柱及びガイドレールが互いに強固に固定されるため、外力が加わっても、中間支柱やレールがぐら付いたり、パネルが変形したりすることはない。
【００３８】
（ｃ）請求項３に記載の発明によれば、引戸は安定的に、かつ円滑に開閉されるので、中間支柱等に接触したりすることはない。
【図面の簡単な説明】
【図１】本発明の引戸装置を備える間仕切りの正面図である。
【図２】同じく、図１の２−２線の拡大横断平面図である。
【図３】同じく、図１の３−３線の拡大縦断側面図である。
【図４】同じく、引戸とガイドローラとの嵌合部の縦断側面図である。
【図５】同じく、戸袋部の一部切欠拡大正面図である。
【図６】同じく、図５の６−６線の拡大縦断側面図である。
【図７】同じく、中間支柱と間仕切りパネルとの係合部の分解斜視図である。
【符号の説明】
１      支柱
２      戸当り支柱
３      中間支柱
４      戸袋支柱
５      間仕切りパネル
５ａ    折曲片
６      取付金具
７      笠木
８      出入口
９      引戸
１０    レール支持部材
１１    ガイドレール
１２    吊支ローラ
１３    吊支ブラケット
１４    幅木
１５    ガイドローラ
１６    案内部材
１７    ガイド片
１８    欄間パネル
１９    支柱固定部材
２０    取付片
２１    端末金具
２２    アジャスタボルト
２３    高さ調整金具
２４    ロックナット
２５    支持片
２６，２７  パネル支持部材
２８    係合孔
２９    係止金具
２９ａ  フック
【図１】
0004407988.tif 000002
【図２】
0004407988.tif 000003
【図３】
0004407988.tif 000004
【図４】
0004407988.tif 000005
【図５】
0004407988.tif 000006
【図６】
0004407988.tif 000007
【図７】
0004407988.tif 000008